(57)【要約】【課題】筒状セパレータと底部セパレータが円筒状の電池ケース内に収納された円筒形電池において、円筒状に巻回してなる筒状セパレータの重なり部と方形状の底部セパレータの角部が折れ曲がった折り重なり部とが重ならないように配置し、負極材と正極材との極間距離を減少させて両極の反応不足を抑え、負極材の収容量の減少することを抑制した円筒形電池を提供する。【解決方法】正極材２と負極材４と間に介在された筒状セパレータ３と底部セパレータ５が円筒状の電池ケース１内に収納され、円筒状に巻回してなる筒状セパレータ３の重なり部と方形の底部セパレータ５の角部５ａとを重ならないように配置した円筒形電池。【選択図】図１
2008251196.tif 000002
【特許請求の範囲】
【請求項１】
正極材と、負極材と、前記正極材と負極材と間に介在された筒状セパレータと底部セパレータが円筒状の電池ケース内に収納された円筒形電池において、円筒状に巻回してなる前記筒状セパレータの重なり部と方形状の前記底部セパレータの角部とを重ならないように配置したことを特徴とする円筒形電池。
【請求項２】
前記底部セパレータとして辺の長さが筒状セパレータの直径より大きい方形状としたことを特徴とする請求項１に記載の円筒形電池。
【請求項３】
前記底部セパレータとして形状を正方形のものを用いたことを特徴とする請求項１に記載の円筒形電池。
【請求項４】
前記底部セパレータの厚さを、０．０２ｍｍから０．３ｍｍとなるように形成したことを特徴とする請求項１に記載の円筒形電池。
【請求項５】
前記底部セパレータを、イオンのみを透過する微孔性フィルムにより形成したことを特徴とする請求項１に記載の円筒形電池。
【請求項６】
前記円筒状に巻回してなる筒状セパレータの巻終わり位置を、巻始め位置を通過後に巻終わるように巻回したことを特徴とする請求項１に記載の円筒形電池。
【請求項７】
正極材と、負極材と、前記正極材と負極材と間に介在された筒状セパレータと底部セパレータが有底円筒状の電池ケース内に収納された円筒形電池において、二酸化マンガンからなる正極合剤を円筒状に成形した正極材と、亜鉛からなるゲル状の負極材と、アルカリ電解液と、円筒状に巻回してなる前記筒状セパレータの重なり部と正方形の辺の長さが前記筒状セパレータの直径より大きい底部セパレータの角部とを重ならないように配置して前記有底円筒状の電池ケース内に収納したことを特徴とする円筒形電池。
【請求項８】
主成分として二酸化マンガンからなる正極合剤を細孔径が３ｎｍ〜４００μｍに加圧成形した円筒状の正極材と、亜鉛粉末の粒径が７５μｍ〜４２５μｍの亜鉛粒子を含む負極材と、アルカリ電解液と前記正極材と負極材との間に介在する円筒状に巻回した筒状セパレータの重なり部と底セパレータの角部との位置をずらして、有底円筒状の電池ケース内に収納したことを特徴とする請求項７に記載の円筒形電池。
【請求項９】
二酸化マンガンおよびオキシ水酸化ニッケルの合計１００重量部に対し、０.５〜１０重量部のポリエチレン粉末を含有した円筒状の正極材と、亜鉛を活物質してなるゲル状負極材と、ＬｉＯＨを添加したＫＯＨ水溶液からなるアルカリ電解液と円筒状に巻回した筒状セパレータの重なり部と底セパレータの角部を重ならないように前記正極材と負極材との間に介在して、有底円筒状の電池ケース内に収納したことを特徴とする円筒形電池。
【発明の詳細な説明】
【技術分野】
【０００１】
本発明は、乾電池に代表される円筒形電池の正極材と負極材との間に介在されるセパレータの位置を改良した円筒形電池に関するものである。
【背景技術】
【０００２】
近年、強負荷の放電性能を必要とされる携帯型情報機器やデジタルカメラなどでは大電流放電する電子機器が多く市場に普及している。これらの電子機器の電源として求められているアルカリマンガン乾電池やオキシライド乾電池に代表される円筒形電池の需要が急速に高まっている。それに伴い、例えばアルカリマンガン乾電池の生産効率の向上および高品質で信頼性のある大容量でハイパワーな円筒形電池の生産が求められている。
【０００３】
図５に従来技術に係るアルカリマンガン乾電池の構成を示す。アルカリマンガン乾電池は、円筒状外形の底部に正極凸部８５が形成された電池ケース１０３内に、円筒状の正極材１０４、円筒状の筒状セパレータ１０１と底部セパレータ１０２、ゲル状の負極材１０６を収納し電池ケース１０３の開口端を絶縁ガスケット８７を介して封口板８８で封口する。
【０００４】
さらに、ゲル状の負極材１０６中に挿入された負極集電棒８９が封口板８８に接続して構成されている。この電池ケース１０３の底部には底部セパレータ１０２が配設され、ゲル状の負極材１０６と正極端子となる電池ケース１０３との間が内部短絡しないように隔離する方法が提案されている（例えば、特許文献１参照）。
【０００５】
また、従来アルカリマンガン電池の構成に係る製造装置の工程手順を示す状態図を図７（ａ）〜（ｃ）に示す。図７（ａ）で示すように前工程で正極材１０４を挿入した電池ケース１０３を電池搬送治具１１０内に収納し、底部セパレータをセパレータ装填治具１１２に収納している。
【０００６】
セパレータ装填治具１１２は、筒状セパレータ１０１が通過できる円形のガイド穴１１４とガイド穴１１４の上部に底部セパレータ１０２を保持する保持部１１１からなり、セパレータ装填治具１１２の中心と電池ケース１０３の中心と筒状セパレータ１０１の中心とが同一軸線上になるように電池搬送治具１１０とセパ装填治具１１２を搬送する。
【０００７】
次に図７（ｂ）で示すように、電池ケース１０３内の正極材１０４の内周面に接するように、巻芯１１３に円筒状に巻かれた筒状セパレータ１０１とセパレータ装填治具１１２の保持部１１１に保持された底部セパレータ１０２を巻芯１１３で、筒状セパレータ１０１の先端部を底部セパレータ１０２に当接させて両セパレータを同時にガイド穴１１４を通過させて電池ケース１０３に挿入する。
【０００８】
その後、図７（ｃ）で示すように挿入された両セパレータ１０１，１０２は電池ケース１０３内において配設されたまま巻芯１１３は上昇し、電池搬送治具１１０は次工程（図示せず）へと搬送される。その後、次工程において両セパレータ１０１，１０２で囲まれた中央空間に負極ゲル化剤を投入し、電解液を注液後、電池ケース１０３の開口部を封口板で封口して円筒形電池を製造する方法が提案されている（例えば、特許文献２参照）。
【特許文献１】特許第３５５２９１１号公報
【特許文献２】特許第３６５５４６９号公報
【発明の開示】
【発明が解決しようとする課題】
【０００９】
しかしながら、上述した特許文献に示される従来技術では、図６に示すように底部セパレータ１０２の角部１０２ａと筒状セパレータ１０１の巻始めと巻終わりからなる重なり部１０１ａが重なり合い、負極材１０６と正極材１０４との極間距離が増大し両極の反応不足を引き起こしたり、負極材１０６の収容量が減少したりすることで所要の放電性能が得られないなどの課題があった。
【００１０】
詳細に述べると、図６で示す筒状セパレータ１０１と底部セパレータ１０２の組付ける状態を示した斜視図のように、筒状セパレータ１０１の一部分を底部セパレータ１０２で包み込んだ際に筒状セパレータ１０１の巻始めと巻終わりが重なった重なり部１０１ａと底部セパレータ１０２の折り曲げられた角部が１０２ａとが重なり合って厚くなる。
【００１１】
それにより図５に示す負極材１０６と正極材１０４とが筒状セパレータ１０１を介して対面する反応面の極間距離が増大して隙間が生じ、負極材１０６と正極材１０４との極間反応が悪くなる。その上、筒状セパレータ１０１の重なり部１０１ａと底部セパレータ１０２の角部１０２ａによって両セパレータが幾重にもなるため負極材１０６の収容量が減少することになり、所要の放電性能が得られないという問題が生じる。
【００１２】
本発明は上記従来の課題を鑑みてなされたもので、円筒状に巻回してなる筒状セパレータの重なり部と方形状の底部セパレータの角部とを重ならないように配置することにより、負極材の容量の減少を抑制することができ、また両セパレータを介しての正極材と負極材との極間距離が近くなるので内部抵抗のバラツキを抑えられ、放電特性のバラツキを抑制でき、放電特性の向上が可能となる信頼性の高い大容量でハイパワーな円筒形電池を提供することを目的としている。
【課題を解決するための手段】
【００１３】
上記目的を達成するために本発明の円筒形電池は、正極材と、負極材と、正極材と負極材と間に介在された筒状セパレータと底部セパレータが円筒状の電池ケース内に収納された円筒形電池において、円筒状に巻回してなる筒状セパレータの重なり部と方形状の底部セパレータの角部とを重ならないように配置したことを特徴としている。
【発明の効果】
【００１４】
本発明によれば、円筒状に巻回してなる筒状セパレータの重なり部と方形状の底部セパレータの角部とを重ならないように配置することにより、筒状セパレータの重なり部と底部セパレータの角部が電池ケース内装着時に折れ曲がり折り重なった角部とが重ならないことで、負極材の容量の減少を抑制でき、かつ正極材と負極材との極間距離が近くなり、内部抵抗のバラツキおよび放電特性が向上され高い信頼性を得ることが可能となる。
【発明を実施するための最良の形態】
【００１５】
本発明の第１の発明においては、正極材と、負極材と、正極材と負極材と間に介在された筒状セパレータと底部セパレータが円筒状の電池ケース内に収納された円筒形電池において、円筒状に巻回してなる筒状セパレータの重なり部と方形状の底部セパレータの角部とを重ならないように配置したことにより、筒状セパレータと底部セパレータを装着した際に筒状セパレータの重なり部と底部セパレータの折り曲げた角部とが重ならないことで、負極材の容量の減少が抑制され、かつ正極材と負極材との極間距離が近くなり、内部抵抗のバラツキが抑えられ、放電特性を向上させることが可能となる。
【００１６】
本発明の第２の発明においては、底部セパレータとして辺の長さが筒状セパレータの直径より大きい方形状としたことにより、筒状セパレータの一端部を完全に包むことが可能となり漏液や内部短絡を発生せず、信頼性を高めることが可能となる。
【００１７】
本発明の第３の発明においては、底部セパレータとして形状を正方形のものを用いたことにより、正方形の角部に折り重なりができるように折り重なり部の位置を決める事ことが可能で、原材料の歩留まり効率の向上が可能となる。
【００１８】
本発明の第４の発明においては、底部セパレータの厚さを、０．０２ｍｍから０．３ｍｍとなるように形成したことにより、均質な状態に薄膜を作ることができるので底部セパレータの強度を確保でき、変形による内部膨張の吸収作用も確保することが可能となる。
【００１９】
本発明の第５の発明においては、底部セパレータを、イオンのみを透過する微孔性フィルムにより形成したことにより、底部セパレータの立ち上がり部分が正極合剤ペレットとゲル状負極との間に介在しても反応を阻害することはないので、一定の放電特性を得ることが可能となる。
【００２０】
本発明の第６の発明においては、円筒状に巻回してなる筒状セパレータの巻終わり位置を、巻始め位置を通過後に巻終わるように巻回したことにより、正極材と負極材を完全に隔離できるので内部短絡を抑制することが可能となる。
【００２１】
本発明の第７の発明においては、正極材と、負極材と、正極材と負極材と間に介在された筒状セパレータと底部セパレータが有底円筒状の電池ケース内に収納された円筒形電池において、二酸化マンガンからなる正極合剤を円筒状に成形した正極材と、亜鉛からなるゲル状の負極材と、アルカリ電解液と、円筒状に巻回してなる筒状セパレータの重なり部と正方形の辺の長さが筒状セパレータの直径より大きい底部セパレータの角部とを重ならないように配置して、有底円筒状の電池ケース内に収納したことしたことにより、筒状セパレータと底部セパレータを装着した際に筒状セパレータの重なり部と底部セパレータの折り曲げた角部とが重ならず、負極材の容量の減少が抑制され、かつ正極材と負極材との極間距離が近くなり、内部抵抗のバラツキが抑えられ、放電特性を向上させることが可能となる。
【００２２】
本発明の第８の発明においては、主成分として二酸化マンガンからなる正極合剤を細孔径が３ｎｍ〜４００μｍに加圧成形した円筒状の正極材と、亜鉛粉末の粒径が７５μｍ〜４２５μｍの亜鉛粒子を含む負極材と、アルカリ電解液と正極材と負極材との間に介在する円筒状に巻回した筒状セパレータの重なり部と底セパレータの角部との位置をずらして、有底円筒状の電池ケース内に収納したことにより、底部セパレータの折り曲げ角部による負極材の容量の減少を抑え、また、正極材である正極合剤の細孔へ含浸させる電解液量の規制をすることができ、電池内部抵抗とセパレータの厚みの低減が可能となり優れた放電特性が得られる。
【００２３】
本発明の第９の発明においては、二酸化マンガンおよびオキシ水酸化ニッケルの合計１００重量部に対し、０.５〜１０重量部のポリエチレン粉末を含有した円筒状の正極材と、亜鉛を活物質してなるゲル状負極材と、ＬｉＯＨを添加したＫＯＨ水溶液からなるアルカリ電解液と円筒状に巻回した筒状セパレータの重なり部と底セパレータの角部を重ならないように正極材と負極材との間に介在して、有底円筒状の電池ケース内に収納したことにより、底部セパレータの折り曲げた角部と筒状セパレータの重なり部と重ならず、負極材の容量の減少が抑制され、また、ポリエチレン粉末を含有した正極材により高温保存時のガス発生量を抑制することが可能となる。
【００２４】
以下、本発明の一実施の形態であるアルカリマンガン乾電池の構成について、図を参照して説明する。図１に示すように、底面に正極端子とする外方に向けて突出形成した正極凸部６を設け、有底円筒形に形成された正極端子一体型の電池ケース１に電池ケース１の
内周面に接している円筒形状に成形された正極材２が収容され、この正極材２の内径方向に底部セパレータ５と筒状セパレータ３で隔てられた電解液（図示せず）とゲル状の負極材４が収容されている。
【００２５】
電池ケース１の開口端は絶縁ガスケット７を介して、封口板８によって封口されると共にゲル状の負極材４に挿入した負極集電棒９を接続し負極端子となる封口板８が取り付けられて円筒形のアルカリマンガン乾電池１０を構成している。
【００２６】
また、図２（ａ）に示されるように複数回巻回した円筒状の筒状セパレータ３が筒状セパレータ３の外形より大きな辺を持つ正方形の底部セパレータ５上に配置され、図２（ｂ）の平面図で示すように筒状セパレータ３の巻始めと巻終わりが重なった重なり部３ａと底部セパレータ５の角部５ａが重ならない位置で位置決めし、図２（ｃ）に示すように筒状セパレータ３の下部を底部セパレータ５の周縁を折り曲げた立上り部５ｄで包み込み、図１に示す電池ケース１内でゲル状の負極材４と電池ケース１の底面とを内部短絡しないように隔離絶縁している。
【００２７】
さらに図２（ｃ）に示すように、底部セパレータ５の角部５ａを寄せて折り曲げた重なり部５ｂが筒状セパレータ３の重なり部３ａと重ならない状態で装着することで、筒状セパレータ３の重なり部３ａと底部セパレータ５の角部５ａよりなる重なり部５ｂとが重ならず、負極材４の容量が減少する課題を抑制することができ、両セパレータを介しての正極材２と負極材４との極間距離が近くなり電池の内部抵抗のバラツキを抑えられる。
【００２８】
以下、本発明の一実施の形態例に関わる円筒形電池について図を参照しながら詳細に説明するが、本発明は、これのみに限定されることなくマンガン乾電池やオキシライド乾電池、さらには空気亜鉛電池等でもかまわない。
【００２９】
まず、図１に示すように有底円筒形に形成をした電池ケース１の底面には正極端子となる外方に向けて突出形成した正極凸部６が設けられ、電池ケース１内に、粉末状の正極合剤を円筒形状に圧縮成形した正極材２を電池ケース１の内周面に接した状態で挿入し収納する。円筒形電池の品種により収納する円筒形状に成形した正極材２を複数個収納し、本発明の一実施の形態においては電池ケース１内に２個の正極材２を収納する。
【００３０】
なお、正極材２は二酸化マンガンと黒鉛とを９０：１０の重量比で混合した混合物とアルカリ電解液とを１００：３の重量比で混合し、十分に攪拌した後、フレーク状に圧縮成形した。また、アルカリ電解液には、４０重量％の水酸化ナトリウム水溶液を用い、フレーク状の正極合剤を粉砕して粉末状にしてふるいによって分級し、１０〜１００メッシュのものを中空円筒形に圧縮成形してペレット状の正極材２を得た。この正極材２を電池ケース１内に２個挿入した。
【００３１】
次に筒状セパレータ３の直径より大きい幅をもつ帯状のセパレータを幅の寸法と同じ長さの寸法に切断し、即ち正方形に成形した底部セパレータ５を電池ケース１の中心と底部セパレータ５の中心が同一になる位置に配置する。
【００３２】
ここで正方形に切断された底部セパレータ５の角部は切断時に位置決めされて、その位置決めされた状態を保持しながら電池ケース１の上に配置する。なお、底部セパレータ５はイオンのみを透過する微孔性フィルムとして再生セルロースを用い、その両面に化学繊維からなる不織布をラミネートしており、厚みは０．０２から０．３ｍｍが好ましい。
【００３３】
また、筒状セパレータ３の高さ方向の寸法と同じ寸法の幅を持つ帯状のセパレータを所定の長さに切断し、巻芯を用いて円筒状に巻回され筒状セパレータ３を作製する。ここで
、筒状セパレータ３の巻回する回数は円筒形電池の品種により決定され、本発明の一実施の形態においては３巻きの巻回回数を有した筒状セパレータ３とした。
【００３４】
さらに切断する長さは図２（ａ）に示すように、３巻きすることで巻終わり位置３ｃが巻始め位置３ｂを通過した後に巻終わる長さで切断した。なお、必要回数巻いた後に切断しても構わない。また、底部セパレータ５と同様にイオンのみを透過する微孔性フィルムとして再生セルロースを用い、その両面に化学繊維からなる不織布をラミネートしている。
【００３５】
次に筒状セパレータ３の円筒の中心と電池ケース１および底部セパレータ５の中心が同一になる位置に配置する。ここで、筒状セパレータ３の円筒の中心と底部セパレータ５の中心とを合致させ、筒状セパレータ３の巻始めと巻終わりの重なり部３ａを底部セパレータ５の角部５ａが重ならない位置で底部セパレータ５の上に配置する。
【００３６】
さらに、筒状セパレータ３を巻いた後述詳細に述べる巻芯を電池ケース１の開口部の方向に挿入することで、図２（ｃ）に示すように筒状セパレータ３の下部を底部セパレータ５の周縁を折り曲げた立上り部５ｄで包み込んだ状態となり、電池ケース１に収納した円筒状の正極材２の内径に密着させて装着する。
【００３７】
底部セパレータ５の角部５ａを寄せて折り曲げた重なり部５ｂが筒状セパレータ３の重なり部３ａと重ならない状態で装着していることで、従来技術で課題となっていた筒状セパレータ３の重なり部３ａと底部セパレータ５の角部５ａからなる重なり部５ｂとが重なることで発生する負極材４の容量の減少する現象を抑制することができ、両セパレータを介しての正極材２と負極材４との極間距離が近くなり電池内部抵抗のバラツキを抑えられる。
【００３８】
また、底部セパレータ５と筒部セパレータ３の中心が同一になる配置で挿入し装着しているため、底部セパレータ５と筒状セパレータ３の位置ズレなく、底部セパレータ５は中心を対称にして絞られ、電池ケース１の底部を底部セパレータ５に覆う形となり、後の工程においてゲル状の負極材４を充填した時の短絡を防ぐ。
【００３９】
その後、図１の構造を表示したように電解液（図示せず）を注液し、ゲル状になった負極材４を挿入した後、周縁に絶縁ガスケット７が装着され中央部に負極集電棒９を設けた負極端子となる封口板８の負極集電棒９を負極材４に挿入しながら、電池ケース１の開口部に装着して、電池ケース１の開口部を内側方向に折り曲げてかしめ封口し密閉した円筒形電池を作製する。
【００４０】
なお、ゲル状の負極材４はゲル化剤としてポリアクリル酸ナトリウムと、アルカリ電解液として４０重量％の水酸化ナトリウム水溶液と、負極活物質として亜鉛粉末とを１：３３：６６の重量比で混合している。
【００４１】
以下に本発明の実施の形態に関わる円筒形電池の構成および製造方法について詳しく説明する。以下に示される構成および製造方法については、本発明を説明するために掲げた例えば外径１４ｍｍ、高さ５０ｍｍのアルカリマンガン乾電池であるＬＲ６として一例を示すものであって、本発明の円筒形電池の構造を下記のものに特定するものではない。
【００４２】
（実施の形態１）
図３（ａ）に示すように、底部セパレータ５は厚みが０．２ｍｍ、幅が１５ｍｍの不織布を極薄の厚みに加工した帯状セパレータ１８を幅寸法と同じ図示した点線部分の１５ｍｍの長さで切断し、正方形の底部セパレータ５を形成した。
【００４３】
ここで帯状セパレータ１８の巾は正方形に形成した底部セパレータ５の幅寸法と同じ幅寸法にし、幅寸法と同じ長さ寸法に切り出すことにより正方形となり、材料ロスがなく、切り屑が発生しないので屑処理の作業工程も省略することができる。
【００４４】
また、図３（ｂ）に示すように、前工程により二酸化マンガンからなる円筒形状の正極材２を２個収納した有底円筒状の電池ケース１の中心と底部セパレータ５の中心が合致した状態で、電池ケース１の開口部に底部セパレータ５の角部５ａの位置決めをした底部セパレータ５を配置する。
【００４５】
次に図４（ａ）に示すように、厚みが０．２ｍｍ、幅が４４ｍｍの帯状セパレータ３６を図示した点線部分で８５ｍｍの長さに切断し、巻芯１６に巻きつけて３巻きからなる筒状セパレータ３を成形した。
【００４６】
また、図４（ｃ）で示す筒状セパレータ３の巻始めと巻終わりからなる重なり部３ａは図４（ｂ）に示すように巻終わり位置３ｃが巻始め位置３ｂで巻終わる寸法で帯状セパレータ３６を切断しており、巻始め位置３ｂを決定した後、巻芯１６を自転させ、帯状セパレータ３６を巻回すると巻始め位置３ｂが決定していることで巻終わり位置３ｃもおのずと決定する。
【００４７】
また、帯状セパレータ３６を巻回して筒状セパレータ３を成形する際、巻芯１６にガイドを設けることが好ましく、ローラのように自由に自転するものを帯状セパレータ３６を介して、巻芯１６に押し付けて巻回を補助するものがさらに好ましい。なお、必要巻数を巻き終えた後に、切断し筒状セパレータ３を成形しても構わない。
【００４８】
次に重なり部３ａの位置決めをした筒状セパレータ３を成形した後、図４（ｄ）のように筒状セパレータ３の重なり部３ａを底部セパレータ５の角部５ａが重ならないように位置決めした状態で、筒状セパレータ３を巻き付けた巻芯１６を下降させ、巻芯１６の先端面で角部５ａを位置決めしている底部セパレータ５の中央部を押しながら、電池ケース１の底面に底部セパレータ５が当接するまで挿入した。
【００４９】
この時、筒状セパレータ３は底部セパレータ５で包んだ状態で電池ケース１内に挿入され、電池ケース１の底面に底部セパレータ５が当接するまで挿入される。また、巻芯１６に巻回された筒状セパレータ３の巻緩みが生じないようにガイド穴を設置することが好ましく、ガイド穴の中に通しながら電池ケース１内に挿入すると巻緩みは生じない。
【００５０】
さらに、底部セパレータ５と巻芯１６の中心のズレが生じないことで底部セパレータ５は中心を対称にして絞られ電池ケース１の底部を覆うように装着されることにより、後の工程においてゲル状の負極材４を充填した時に電池ケース１や正極材２と短絡することを高い精度で抑制できる。
【００５１】
また図２（ｄ）のような状態の筒状セパレータ３と底部セパレータ５を電池ケース１内に収納した後、次工程で、図１で示したように電池ケース１内に電解液を注液しゲル状の負極材４を挿入して、電池ケース１の開口部に封口板８を装着後、電池ケース１の開口部を内側方向に折り曲げてかしめ封口し密閉したＬＲ６のアルカリマンガン乾電池１０を作製した。
【００５２】
以上のように本発明は、筒状セパレータの巻始めと巻終わりからなる重なり部と正方形の底部セパレータの角部とが重ならない位置に位置決めして、底部セパレータで筒状セパレータを包み込む構成にすることで、底部セパレータの角部からなる折れ曲がった折り重
なり部が筒状セパレータの巻始めと巻終わりからなる重なり部と重ならないと共に高い精度で底部セパレータの収納を実現でき、漏液や内部短絡を発生させずに大容量で信頼性の高い円筒形電池の供給安定化、安全性の安定化を実現する。
【産業上の利用可能性】
【００５３】
本発明によれば、円筒状に巻回してなる筒状セパレータの重なり部と方形の底部セパレータの角部とを重ならないように構成することにより、筒状セパレータの重なり部と底部セパレータの角部が折れ曲がった折り重なり部とが重ならず、負極材の容量の減少を抑制でき、かつ正極材と負極材との極間距離が近くなり、内部抵抗のバラツキおよび放電特性が向上され、大容量で高品質な信頼性の高い円筒形電池を得ることが可能となり、強負荷放電性能を必要とされる携帯型情報機器やデジタルカメラなどの大電流放電機器の電源として有用である。
【図面の簡単な説明】
【００５４】
【図１】本発明の一実施の形態における円筒形電池の半断面正面図
【図２】（ａ）本発明の一実施の形態における底部セパレータと筒状セパレータの模式図、（ｂ）同底部セパレータと筒状セパレータの平面図、（ｃ）同底部セパレータで筒状セパレータを包み込んだ状態を示す模式図
【図３】（ａ）同底部セパレータの形状に成形する前の帯状セパレータの模式図、（ｂ）底部セパレータを挿入する前の模式図
【図４】（ａ）同筒状セパレータに成形する前の帯状セパレータの模式図、（ｂ）同筒状セパレータを成形する前の状態を示す模式図、（ｃ）同筒状セパレータの成形した状態を示す模式図、（ｄ）同筒状セパレータと底部セパレータを挿入する前の状態を示す模式図
【図５】従来例における円筒形電池の半部分切欠断面図
【図６】従来例における底部セパレータで筒状セパレータを包み込んだ状態を示す模式図
【図７】（ａ）従来例における筒状セパレータの巻付け状態を示す模式図、（ｂ）同底部セパレータと筒状セパレータの挿入時の状態を示す模式図、（ｃ）同底部セパレータと筒状セパレータの装着時の模式図
【符号の説明】
【００５５】
１  電池ケース
２  正極材
３  筒状セパレータ
３ａ  重なり部
３ｂ  巻始め位置
３ｃ  巻終わり位置
４  負極材
５  底部セパレータ
５ａ  角部
５ｂ  重なり部
５ｄ  立上り部
６  正極凸部
７  絶縁ガスケット
８  封口板
９  負極集電棒
１０  円筒形電池
１６  巻芯
１８  帯状セパレータ
３６  帯状セパレータ
【図１】
2008251196.tif 000003
【図２】
2008251196.tif 000004
【図３】
2008251196.tif 000005
【図４】
2008251196.tif 000006
【図５】
2008251196.tif 000007
【図６】
2008251196.tif 000008
【図７】
2008251196.tif 000009